(57)【要約】【課題】  ブーツ又は衣服のファスナー部分及びファスナーテープの部分を積極的に利用してファッション機能や出所表示機能を高めんとするものである。【解決手段】  ブーツ１又は衣服１０を着脱するためのファスナー５であって、開閉部分にファスナー５が表面に露出して取り付けられていること、及びファスナー５の務歯部と上・下止金具に着色模様８Ａが施されているものである。【選択図】  図１
2005171448.tif 000002
【特許請求の範囲】
【請求項１】
ブーツ又は衣服を着脱するためのファスナーであって、開閉部分にファスナーが表面に露出して取り付けられていること、及びファスナーの務歯部と上・下止金具に着色模様が施されていることを特徴とするファスナー。
【請求項２】
着色模様がファスナーテープの部分にも施された請求項１記載のファスナー。
【請求項３】
着色模様が色分け模様である請求項１又は２記載のファスナー。
【請求項４】
着色模様が商標やシンボルマーク或いはキャッチフレーズ等の文字・図形等である請求項１乃至３のいずれかに記載のファスナー。
【請求項５】
着色模様に地色部を有する請求項１乃至４のいずれかに記載のファスナー。
【発明の詳細な説明】
【技術分野】
【０００１】
本発明はファスナーに関するものであり、詳しくは、ブーツ又は衣服の着脱用に取り付けられるファスナーに関するものである。
【背景技術】
【０００２】
ブーツは足を入れる足部と脛を包む胴部より構成され、足部は靴底、甲部及び踵部より成り、更に、胴部側方（前面又は背面の場合もある）には足の履脱（着脱）を容易にできるように開閉を行うファスナーが上下方向に取り付けられ、又、衣服についても着脱のため前面・側面或いは後面を開閉するため、ファスナーが上下方向に取り付けられている。    
【０００３】
そして、ブーツに取り付けられるファスナーは、ブーツの色や模様に融合するように、或いはファスナーが目立たないように、ファスナーテープの色を選択したり、ファスナー部の素材や色を合わせているのである。
一方、衣服については、生地の部分に意匠的な色彩模様を施すため、ファスナーが表面に露出しないように、持ち出し布等で覆うようにする例が多いのである。
【０００４】
しかし、ファスナーテープやファスナー部の色は、各々の全体が単一色で、模様を形成するものではなく、又メーカー等の出所表示は製品の内側面や、ブーツの場合は内部靴底或いは靴底裏に表示され、着用した時には外部から認識できないのであった。
【特許文献１】特開２００３−１５３７０５
【特許文献２】特開２００３−１３５１０３
【特許文献３】特開２００３−２２１７１５
【発明の開示】
【発明が解決しようとする課題】
【０００５】
このように、従来のブーツや衣服に取り付けられているファスナーは、ファスナーテープを含め着脱のための機能を行うのみで、他の目的やファッション性に寄与する作用を奏し得ないものとされていた。
ファスナー部及びファスナーテープの部分は、上下方向にストレートに延び、長くなるにしたがってブーツや衣服に占める面積も広く、目立つ部分と成り得るのである。
【０００６】
そこで、本発明はブーツや衣服のファスナーの部分及びファスナーテープの部分を積極的に利用して、ファッション機能や出所表示機能を高めんとするものである。
【課題を解決するための手段】
【０００７】
本発明は、ブーツ又は衣服を着脱するためのファスナーであって、開閉部分にファスナーが表面に露出して取り付けられていること、及びファスナーの務歯部と上・下止金具に着色模様が施されていることを特徴とするものである。
【０００８】
模様には、一般的な絵図、図形、ストライブ、チェック等は勿論、色分け模様やメーカーや販売者の商標やシンボルマーク等の出所表示、或いはキャッチフレーズも含まれ、これ等の模様の組み合わせや更には地色を着色した一部に、これ等の模様を組み合わせたものとしてもよい。
【発明の効果】
【０００９】
本発明は、従来単一色でファッション的機能や出所表示機能を有していなかったファスナー部及びファスナーテープ部を、敢えて表面に露出させて看取可能とし、該部分を利用して着色模様を施したため、細巾ではあるけれど上下方向にストレートに延びた部分に模様が出現し、看者に印象深い刺激となり、ファッション機能や出所表示等の機能を効果的に発揮するものである。
【００１０】
そして、従来出所等の表示は、直接外部から看取できなかったのもが、製品全体から見ると狭いストレート部分に表示されるものであるが、却って看者の注意を惹起し、表示効果を期待できるものと成る。
又、模様が表示されるファスナーに地色を施すことによって、ブーツ本体の地色と異なる地色のラインに模様が顕著に浮き上がって、注目度が増大する効果を発揮するのである。
【発明を実施するための最良の形態】
【００１１】
本発明の実施の形態を図面に基づいて説明する。
図１は、本発明の一実施の形態を示すブーツの側面図であり、ブーツ１の胴部２の上端から足部３の下位部分に渉って上下方向に一直線の切断部４を設け、該切断部４にファスナー５を取り付け、開閉可能となっている。
【００１２】
ファスナー５のファスナーテープ部６は、ブーツ１の胴部２及び足部３と同色を選択し、ファスナー５のファスナー部（務歯列、上止具、下止金具及びスライダー）７には上下方向に分かれた複数色の色分け模様８Ａが施されている。
【００１３】
ファスナー部７（後述のファスナーテープ部６も含め）への着色模様は、スクリーンプリント、インクジェットプリント、オフセットプリント、転写プリントやグラビアプリント等から任意選択すればよく、又ファスナー部７やファスナーテープ部９をも含めて印刷する方法は各種提案されており、適宜公知の技術を利用することが可能である。
【００１４】
図２は、ブーツ１の背面にファスナー５を取り付けたフイプであり、ファスナー５のファスナー部７及びファスナーテープ部６にわたって着色模様８Ｂを施したものである。
又、図３は着色模様に意匠を目的とするデザイン性のあるものに代え、ブーツの製造者、販売者の商標やシンボルマーク、或いはキャッチフレーズ等の文字・図形８Ｃを表示したものである。
【００１５】
ファスナー５の取り付け位置は、ブーツの側面部（図１、図３）や背面部（図２）の他に、前面部に設けたものもあり、適宜選択可能である。
又、ファスナー５に施す着色模様も、上記の図１乃至図３に示す例のように、絵・図形或いは文字も含まれ、二色以上を用いた色分けで着色したものも含まれる。
更に、着色模様を施すファスナー５の部分はファスナー部７のみならず、ファスナーテープ部６を含めた範囲であってもよい。
【００１６】
そして、図４に示すように、ファスナー５の本来の地色に新たな他の地色９を着色した上に、上記の狭義の模様８Ｄを表示した模様としてもよい。
この場合に、着色を施す地色９の部分は、ファスナー部７又はファスナーテープ部６のみであっても、両部分を含めたファスナーの全体部分であってもよい。
【００１７】
図５は、衣服の場合の一実施の形態を示す正面図であり、衣服１０の左右の前身ごろを開閉可能とし、該開口部分にファスナー５が取り付けてあり、ファスナー５を開閉して衣服の着脱をするものである。又、ファスナー５は表面に露出して、開閉にかかわらず常に看取できる構成と成っている。
更に、ファスナー５のファスナー部７及びファスナーテープ部６には同一色の着色が施されて地色９と成し、その上に別の色で文字８Ｃが描いてある。
【００１８】
衣服１０についての着脱用のファスナー５の取り付け位置は、衣服の前面の他に後（背）面や側面（脇）であってもよく、上下方向の長さ（位置）も衣服１０の着用目的やデザインで自由に位置決めされることは言うまでもなく、ファスナー部７及びファスナーテープ６に施される模様も、前記ブーツの場合と同様に任意の模様８Ａ、８Ｂ、８Ｃを施すことができる。
【図面の簡単な説明】
【００１９】
【図１】本発明の一実施の形態を示すブーツの側面図である。
【図２】本発明の他の実施の形態を示すブーツの正面図である。
【図３】本発明の他の実施の形態を示すブーツの部分図である。
【図４】本発明の他の実施の形態を示すブーツの部分図である。
【図５】本発明の他の実施の形態を示す衣服の正面図である。
【符号の説明】
【００２０】
１  ブーツ
２  胴部
３  足部
４  切断部
５  ファスナー
６  ファスナーテープ部
７  ファスナー部
８Ａ、８Ｂ、８Ｃ、８Ｄ  模様
９  地色
１０  衣服
【図１】
2005171448.tif 000003
【図２】
2005171448.tif 000004
【図３】
2005171448.tif 000005
【図４】
2005171448.tif 000006
【図５】
2005171448.tif 000007